(57)【特許請求の範囲】
【請求項１】
下端及び上端の各々に延長して突設した差込杆部を有する左右両側板と、両側端に上方へ起立する曲折部を有し該曲折部の上面に前記側板の下端の差込杆部を挿着させる差込穴を有する下部成形材と、両側端に下方へ垂下する曲折部を有し該曲折部の下面に前記側板の上端の差込杆部を挿着させる差込穴を有する上板と、を四角枠状に組み立てる外枠であって、
前記側板の差込杆部の中央に帯状の隆起面部を形成し該隆起面部に切込を設けて一方側を自由端とする縦長の弾性片部を形成すると共に該自由端に突起を設け、
他方、前記下部成形材及び上板の差込穴の各々に前記側板の差込杆部の隆起面部を挿着するための縦長溝を形成すると共に前記側板の差込杆部の突起を嵌合する嵌合孔を形成したことを特徴とするパチンコ機の外枠。
【請求項２】
前記左右両側板の上端の差込杆部は頂部部分をテーパー状に形成していることを特徴とする請求項１記載のパチンコ機の外枠。
【請求項３】
前記上板の差込穴は前記差込杆部のテーパー状に形成された頂部部分の形状と合致するテーパー部を備えて形成されていることを特徴とする請求項２記載のパチンコ機の外枠。
【発明の詳細な説明】
【技術分野】
【０００１】
本発明は、個々独立に形成された下部成形材、左右の側板、上板を嵌合手段により四角枠状に組み立ててなるパチンコ機の外枠に関するものである。
【背景技術】
【０００２】
パチンコ機の外枠は、遊戯盤、機構板、操作ハンドル等が取り付けられた前面枠を保持するものであり、この外枠は、一般に木材から形成されていたが、近年の木材の枯渇により合成樹脂材から形成したものが提供される傾向にある。
【０００３】
このような合成樹脂製の外枠において、樹脂成形に用いる金型の小型化及び金型の小型化に伴う設備費を低減するために、下部成形材、左右の側板、上板を個々独立に成形し、これらの各部材をねじ止めにより四角枠状に組み立てたものが提供されている。
【特許文献１】特開平４−９０７８１号公報
【発明の開示】
【発明が解決しようとする課題】
【０００４】
従来の技術で述べたパチンコ機の外枠において、下部成形材、左右の側板、上板をそれぞれ個々に樹脂成形することにより、各部成形品が小型化され、各部成形品に歪みのない良質な外枠を形成することができ、しかも樹脂成形に用いる金型も小型化されて金型設備を低減することができるとしても、下部成形材と左右両側板との連結、両側板と上板との連結をねじ止めする手段を採用しているために、組立工程において、取付部にねじを真直ぐに螺入するための神経の疲れる無駄な作業時間が費やされ、外枠の組立作業の能率性を悪くする原因となり、しかも、組立後のねじの緩みによるガタツキを生じ易いばかりでなく、別途用意されたねじ釘を使用することは部品点数を多くし、更に、金属製のねじ釘は高価で不経済である等の問題点があった。
【０００５】
本発明は、上記の問題点に鑑みてなされたもので、その目的とするところは、下部成形材に対する左右両側板の取付、及び左右両側板に対する上板の取付において、ねじの使用を排除し、嵌合手段を採用することにより、外枠の連結組立を容易簡便にすると共に組立後のガタツキ等を生じることのない堅固な組立状態が得られるパチンコ機の外枠を提供するものである。
【課題を解決するための手段】
【０００６】
本発明におけるパチンコ機の外枠は、合成樹脂を用いて、個々独立に成形した下部成形材、左右両側板、及び上板から四角枠状に組み立てる外枠において、左右両側板はその下端及び上端に、中央で帯状の隆起面部を有し、隆起面部には一方側を自由端とし且つ自由端に突起を設けた縦長の弾性片部を有する差込杆部をそれぞれ一体に延長突設して形成し、下部成形材は両側端に上方へ起立する曲折部を一体に有し、曲折部の上面に側板の下端の差込杆部を挿着させる差込穴を有し、差込穴には差込杆部の隆起面部を挿着するための縦長溝と突起の嵌合孔を有して形成し、上板は両側端に下方へ垂下する曲折部を一体に有し、曲折部の下面に側板の上端の差込杆部を挿着させる差込穴を有し、差込穴には差込杆部の隆起面部を挿着するための縦長溝と突起の嵌合孔を有して形成してなるものである。
【０００７】
下部成形材と上板とは、前面枠の取付け側となる側部に開閉ピンを取付ける支持腕を一体に突設設置し、開閉ピンは鍔部を有し、外周に複数の軸方向のリブを有する固定軸部を鍔部の下部に一体に延長突設して形成し、支持腕は内周に前記リブに対応する複数の縦溝を有する軸孔を有して形成し、支持腕の軸孔に開閉ピンの固定軸部を着脱自在に挿着設置してなるのが好ましい。
【０００８】
開閉ピンの固定軸部には、外周面に断面十字状となるように軸方向の４本のリブを設けてなるのが好ましい。
【０００９】
支持腕の軸孔は底部を有し、前記軸孔に挿着した開閉ピンの固定軸部を底部にビス止め固定することにより着脱自在に設置するのが好ましい。
【００１０】
支持腕は貫通する軸孔と係止爪部を係止する係止部とを形成し、開閉ピンの固定軸部には、拡開弾性を付与する切溝を設け係止爪部を形成するのが好ましい。
【００１１】
開閉ピンはジュラコンにより形成するのが好ましい。
【００１２】
開閉ピンは金属材により形成するのが好ましい。
【００１３】
施錠機構の上下フックを施錠するための係止受け片は解放側へ低く傾斜する傾斜上面を有し且つ一方の側面に隆起台面を有して形成し、外枠の解放側となる側板の内面の上部及び下部に係止受け片の隆起台面を嵌合する凹面部を設けて形成し、係止受け片の隆起台面を側板の凹面部に嵌合してビス止めにより着脱自在に設置するのが好ましい。
【００１４】
左右両側の側板は外面に少なくとも一つの指掛け用の凹窪面を設けて形成するのが好ましい。
【００１５】
外枠の組み立てにおいて、左右両側の側板の下端の差込杆部を下部成形材の曲折部に有する差込穴に差し込むと、隆起面部に備える弾性片部の弾性機能により自由端側に設けた突起が差込穴に有する嵌合孔に嵌合係着して下部成形材の両側に左右の側板を嵌合手段により極めて簡単に且つ堅固に起立設置される。次に、左右両側の側板の上端の差込杆部を上板の曲折部に有する差込穴に差し込むと、隆起面部に備える弾性片部の弾性機能により自由端側に設けた突起が差込穴に有する嵌合孔に嵌合係着して左右両側の側板に上板を嵌合手段により極めて簡単に且つ堅固に挿着設置される。そして、左右の側板から上板を外す場合、及び下部成形材から左右の側板を外す場合、差込穴に有する嵌合孔の外部からピン等を挿し込むと弾性片部の突起が嵌合孔から押し外される。この状態で、上板を引き抜くことにより左右の側板から容易に取りはずす事ができ、同様に左右の側板を引き上げることにより下部成形材から左右の側板を容易に抜き取ることができる。このような下部成形材、左右両側板、上板の各部品は嵌合手段により四角枠状に極めて簡単且つ堅固に組み立てられる。しかも着脱自在も容易で交換性に優れ、破損した各部品ごとにり、破損した部材の交換が可能となる。また、開閉ピン及び施錠機構の係止受け片のような消耗の激しい部品も着脱自在な交換性を備えさせているために、これらの部品が破損した場合の新しい部品の交換が極めて容易に行うことができる。
【発明の効果】
【００１６】
本発明によれば、外枠は、左右両側の側板の下端及び上端の差込杆部を下部成形材の曲折部に有する差込穴と上板の曲折部に有する差込穴に差し込むだけで極めて簡単に着脱可能となり、外枠の組み立ては従来に比し簡便にし作業能率を向上させることができ、それ故に、従来のようなねじ釘をねじ込んで組み立てるといった集中力と神経の疲れる組み立て作業から解放される。更に、開閉ピン及び施錠機構の係止受け片のような消耗の激しい部品も着脱自在な交換性を備えさせているために、これらの部品が破損した場合の新しい部品の交換が容易であるばかりでなく、経済性にも優れ、しかも、開閉ピンのような特に消耗の激しい部品は金属により提供し着脱自在に設置することができる等の効果を奏する。
【実施例１】
【００１７】
以下本発明の一実施例を図面に基づいて説明すると、図１は、パチンコ機の前面枠を開いて裏面から見た斜視図、図２はパチンコ機の外枠の分解斜視図、図３は組立状態を示すパチンコ機の外枠の斜視図で、パチンコ機１は外枠２の前面に前面枠３を開閉自在に装着している。前面枠３の裏面には取付枠４が固着され、この取付枠４には遊戯盤５が位置決めされて着脱自在に装着される。遊戯盤５の裏面には機構板６が開閉自在に装着される。前面枠３の一側部開放側裏面には施錠機構７が装着される。施錠機構７は、前面枠３の一側部解放側の裏面に固着された取付基板８に前面枠３を開閉するための摺動板９を摺動自在に設け、この摺動板９の上部にスプリング１０を介して上部フック１１を設けると共に下部に下部フック１２を固着設置して上下フック１１、１２を下方へ附勢し、錠１３の操作により上下フック１１、１２を上方へ持ち上げるように設けられる。
【００１８】
前記外枠２は、図２に示すように、ＡＢＳ樹脂のような合成樹脂を用いて、下部成形材１４、左右両側板１５、１６、及び上板１７を個々独立に成形する。左右両側の側板１５、１６は、図４に示すように、下端に段部１８ａを介して差込杆部１９ａを一体に延長突設し、この差込杆部１９ａの中央に所定幅の帯状の隆起面部２０ａを設け、この隆起面部２０ａには下部側で隆起面部２０ａと一体とし且つ上部側を自由端とする縦方向の切込２１ａにより縦長の弾性片部２２ａを形成してこの自由端側に突起２３ａを設けて形成する。下部成形材１４の両側端には上方へ起立する曲折部２４を一体に設け、この曲折部２４の上面に左右の側板１５、１６の下端の差込杆部１９ａを挿着させる差込穴２５を有し、この差込穴２５には差込杆部１９ａの隆起面部２０ａを挿着するための縦長溝２６と突起２３ａの嵌合孔２７を有して形成され、図３、図５に示すように、左右側板１５、１６の下端の差込杆部１９ａを下部成形材１４の曲折部２４に備える差込穴２５と縦長溝２６に挿入し、弾性片部２２ａの突起２３ａを嵌合孔２７に嵌合し、そして下部成形材１４に左右の側板１５、１６を一体に起立設置する。
【００１９】
また、左右両側の側板１５、１６の上端には、図６に示すように、段部１８ｂを介して差込杆部１９ｂを一体に延長突設し、この差込部１９ｂの中央に所定幅の帯状の隆起面部２０ｂを設け、この隆起面部２０ｂには上部側で隆起面部２０ｂと一体とし且つ下部側を自由端とする縦方向の切込２１ｂにより縦長の弾性片部２２ｂを形成してこの自由端側に突起２３ｂを設けて形成する。上板１７の両側端には下方へ垂下する曲折部２８を一体に設け、この曲折部２８の下面には、前記下部成形材１４と同様に、左右の側板１５、１６の上端の差込杆部１９ｂを挿着させる差込穴２９を有し、この差込穴２９には差込杆部１９ｂの隆起面部２０ｂを挿着するための縦長溝３０と突起２３ｂの嵌合孔３１を有して形成され、図３、図７に示すように、左右側板１５、１６の上端の差込杆部１９ｂを上板１７の曲折部２８に備える差込穴２９と縦長溝３０に挿入し、弾性片部２２ｂの突起２３ｂを嵌合孔３１に嵌合し、そして左右の側板１５、１６に上板１７を一体に嵌合設置する。
【００２０】
なお、前記左右両側の側板１５，１６の上端の差込杆部１９ｂは、頂部部分の前後面をテーパー状に形成し、上板１７の差込穴２９への差込を容易にしている。一方、上板１７の差込穴２９は側板１５，１６の差込杆部１９ｂの形状と合致するテーパー部を備えて形成されており、該上板１７のテーパー部は支持腕３４の強度を高めるための用を果す。
【００２１】
前記下部成形材１４と上板１７は、前面枠３を取り付ける側となるそれぞれの左側には、図１に示す前面枠３の蝶番３２に枢着するための開閉ピン３３を備える支持腕３４が、図２に示すように、それぞれ一体に突設される。開閉ピン３３は、図６、図８に示すように、鍔部３５を有しこの鍔部３５の下部に断面十字状となるように軸方向の４本のリブ３６が設けられた固定軸部３７を一体に有して形成する。支持腕３４には前記固定軸部３７のリブ３６に対応する縦溝３８を有する軸孔３９が設けられ、この軸穴３９に開閉ピン３３の固定軸部３７を挿着して支持腕３４の側面から、図６に示すように、ビス４０により着脱自在にビス止め固定する。
【００２２】
尚、この実施例では、図８に示すような固定軸部３７が断面十字状となるような４本のリブ３６を設けたが、リブ３６の数は４本に限定されず、例えばロ−レット状（図示せず）に設けることもできるが、その場合、支持腕３４の軸穴３９にはリブ３６の数に応じて縦溝３８が設けられることはいうまでもない。
【００２３】
図１０は、他の開閉ピン３３ａを示すもので、鍔部３５ａの下部には円柱状の固定軸部３７ａを延長突設して、この固定軸部３７ａに拡開弾性を付与するための切溝４１を軸方向に設けると共に該下端に係止爪部４２を形成する。一方、支持腕３４には下部に係止部としての段部４３を設けてこの段部４３から下方を大径にして貫通する軸孔３９ａが設けられ、この軸孔３９ａに挿着した固定軸部３７ａの係合爪部４２を段部４３に係止させて固着設置する。
【００２４】
前記に記載した各実施例の開閉ピン３３、３３ａは、ジュラコンの商品名で知られるアセタ−ル樹脂により成形するのが好ましい。また、金属により形成することもできる。
【００２５】
左右の側板１５、１６の外面に少なくとも一つの指掛け用の凹窪部４４を設け、好ましくは上部位置及び中央部位置の二か所に設けて、外枠２の持ち運びを便利にするのが好ましい。
【００２６】
外枠２の解放側となる右側板１６の内面の上部及び下部に、施錠機構７の上下部フック１１、１２を施錠するための係止受け片４５が設置される。係止受け片４５は解放側へ低くなる傾斜面４６を有すると共に一方の側面に取付用の隆起台面４７を有して形成され、右側板１６には係止受け片４５の隆起台面４７を嵌合させる凹面部４８を設け、前記凹面部４８に嵌合した係止受け片４５をビス４９によりねじ止めにより着脱自在に固設する。
【００２７】
また、下部成形材１４は、ロ−ラ受け用の金属板に代えて、肉盛部５０を一体に設けて示すものである。
【００２８】
尚、左右側板１５、１６の上下の差込杆部１９ａ，１９ｂは四隅部にねじ孔５１が設けられ、左右側板１５、１６の上下の差込杆部１９ａ，１９ｂには前記ねじ孔５１に重合貫通するねじ孔５２が設けられ、差込杆部１９ａ、１９ｂの弾性片部２２ａ，２２ｂが破損した際に、外枠２をねじ止め手段による組み立て可能にするものである。
【図面の簡単な説明】
【００２９】
【図１】本発明のパチンコ機の前面枠を開いて裏面から見た斜視図である。
【図２】本発明のパチンコ機の外枠の分解斜視図である。
【図３】本発明のパチンコ機の組立状態を示す外枠の斜視図である。
【図４】本発明の側板の下端の差込杆部と下部成形材の差込穴とを分離して示す組立機構の要部拡大斜視図である。
【図５】本発明の下部成形材の差込穴に側板の下端の差込杆部との組立状態を示す要部拡大断面図である。
【図６】本発明の側板の上端の差込杆部と上板を分離して示す組立機構の要部拡大斜視図である。
【図７】本発明の上板の差込穴に側板の上端の差込杆部との組立状態を示す要部拡大断面図である。
【図８】本発明の開閉ピンを上板に設けた支持腕から離反して示す要部拡大斜視図である。
【図９】本発明の上板の差込穴に側板の上端の差込杆部との組立状態を示す要部拡大断面図である。
【図１０】本発明の他の開閉ピンを支持腕に設置して示す要部拡大断面図である。
【図１１】本発明の施錠機構のフックと係合する係止受け片を側板から分離して示す要部拡大斜視図である。
【符号の説明】
【００３０】
２                外枠
３                前面枠
７                施錠機構
１４              下部成形材
１５              左側板
１６              右側板
１７              上板
１９ａ，１９ｂ    差込杆部
２０ａ，２０ｂ    隆起面部
２２ａ，２２ｂ    弾性片部
２３ａ，２３ｂ    突起
２４              曲折部
２５              差込穴
２６              縦長溝
２７              嵌合孔
２８              曲折部
２９              差込穴
３０              縦長孔
３１              嵌合孔
３３              開閉ピン
３４              支持腕
３５              鍔部
３７              固定軸部
４４              凹窪部
４５              係止受け片
４６              傾斜上面
４７              隆起台面
４８              凹面部
【図１】
0003660347.tif 000002
【図２】
0003660347.tif 000003
【図３】
0003660347.tif 000004
【図４】
0003660347.tif 000005
【図５】
0003660347.tif 000006
【図６】
0003660347.tif 000007
【図７】
0003660347.tif 000008
【図８】
0003660347.tif 000009
【図９】
0003660347.tif 000010
【図１０】
0003660347.tif 000011
【図１１】
0003660347.tif 000012